【手続補正書】
【提出日】平成18年6月22日(2006.6.22)
【手続補正１】
【補正対象書類名】特許請求の範囲
【補正対象項目名】全文
【補正方法】変更
【補正の内容】
【特許請求の範囲】
【請求項１】
複数の像担持体にそれぞれ潜像を形成した後、これらの各潜像を顕像化し、被転写媒体上に前記顕像化された像を順次重ね合わせて重ね合わせ画像を形成する画像形成方法において、
先行ページの画像処理と後行ページの画像処理の間（以下、紙間という。）に、異なる複数種の書き込み誤差補正を行うことを特徴とする画像形成方法。
【請求項２】
請求項１に記載の画像形成方法において、
異なる複数種類の誤差補正は、主走査方向の倍率誤差補正、主走査方向の位置ずれ誤差補正、副走査方向の位置ずれ誤差補正の３つの書き込み誤差補正の少なくとも２つを含むことを特徴とする画像形成方法。
【請求項３】
請求項２に記載の画像形成方法において、
前記主走査方向の倍率誤差補正は、走査光による主走査方向の走査時間を基準値と比較して得た値を基にして、前記走査光で画像を書かせるための画素クロックの位相を進め、又は遅らせることにより行なうことを特徴とする画像形成方法。
【請求項４】
請求項２又は３に記載の画像形成方法において、
前記主走査方向の位置ずれ誤差補正は、前記被転写媒体上に主走査方向の位置ずれ誤差測定用のパターン画像をつくり、この位置ずれ誤差測定用パターン画像を光検知器で読むことで得た位置ずれデータに基づき、主走査画像領域信号の書き込み開始位置を基準の発生タイミングに対して進ませ、又は遅らせることにより行なうことを特徴とする画像形成方法。
【請求項５】
請求項２乃至４の何れかに記載の画像形成方法において、
前記副走査方向の位置ずれ誤差補正は、前記被転写媒体上に位置ずれ誤差測定用パターン画像を書き、この位置ずれ誤差測定用パターン画像を光検知器で読むことで得た位置ずれデータに基づき、副走査画像領域信号の発生タイミングを基準の書き込み開始位置に対して進ませ、又は遅らせることにより行なうことを特徴とする画像形成方法。
【請求項６】
請求項５に記載の画像形成方法において、
前記位置ずれ誤差測定用パターン画像は、１ページ相当の副走査画像領域信号の終了後の一定時間毎に、前記紙間のタイミングで形成することを特徴とする画像形成方法。
【請求項７】
請求項１乃至６の何れかに記載の画像形成方法において、
異なる複数種類の書き込み誤差補正は、同一の紙間のタイミングで行なわず、異なる紙間のタイミングで分散して行なうことを特徴とする画像形成方法。
【請求項８】
複数の像担持体にそれぞれ潜像を形成した後、これらの各潜像を顕像化し、被転写媒体上に前記顕像化された像を順次重ね合わせて重ね合わせ画像を形成し、先行ページの画像処理と後行ページの画像処理の間（以下、紙間という。）に、異なる複数種の誤差補正を行うことを特徴とする画像形成装置。
【請求項９】
請求項８記載の画像形成装置において、
前記紙間で行なう誤差補正の対象とすべき誤差の種類を、主走査方向の倍率誤差、主走査方向の位置ずれ誤差、副走査方向の位置ずれ誤差の３種に特定し、
前記主走査方向の倍率誤差を補正するための第１組の手段として、主走査方向の倍率誤差検出手段及び主走査方向の倍率誤差補正手段、
前記主走査方向の位置ずれ誤差を補正するための第２組の手段として、主走査方向の位置ずれ誤差検出手段及び主走査方向の位置ずれ誤差補正手段、
前記副走査方向の位置ずれ誤差を補正するための第３組の手段として、副走査方向の位置ずれ誤差検出手段及び副走査方向の位置ずれ誤差補正手段、
の３つの組をつくり、これらの３つの組の中、少なくとも２つの組を具備すると共に、
これら少なくとも２つの組の手段を前記紙間のタイミングで駆動させて書き込み誤差を補正する処理選択部を備えたことを特徴とする画像形成装置。
【請求項１０】
請求項９記載の画像形成装置において、
前記主走査方向の倍率誤差検出手段は、
前記走査光の走査方向上に間隔をおいて配置した２つの光検知器と、
これらの光検知器からの走査光検知情報により主走査方向の倍率誤差を算出する主走査方向の倍率誤差補正量算出手段を具備していることを特徴とする画像形成装置。
【請求項１１】
請求項１０に記載の画像形成装置において、
前記２つの光検知器として、受光型の光検知器を用いることを特徴とする画像形成装置
。
【請求項１２】
請求項９乃至１１の何れかに記載の画像形成装置において、
前記主走査方向の倍率誤差補正手段は、
画素に対応したパルス列であって主走査方向に潜像を書くための画素クロックの周波数
を前記主走査方向の倍率誤差検出手段からのずれ情報に基づき変更するＰＬＬ回路を含
む構成としたことを特徴とする画像形成装置。
【請求項１３】
請求項９乃至１１の何れかに記載の画像形成装置において、
前記主走査方向の倍率誤差補正手段は、
元クロックから画素クロックをつくる分周器と、
前記主走査方向の倍率誤差検出手段の出力に基づき、正規の画素クロックに対して画像クロックの位相変更をかけるパルスを生成するパルス列生成回路と、
前記パルス列生成回路の出力から適切な補正用の画素クロックを選択するセレクタと、
を具備していることを特徴とする画像形成装置。
【請求項１４】
請求項１３に記載の画像形成装置において、
前記主走査方向の倍率誤差補正手段について、
前記パルス列生成回路で生成される補正用の画素クロックは、
画像が伸びる傾向のときの補正用画素クロックとして、正規の画素クロックに対してパルス幅が短い画素クロック、画像が縮まる傾向のときの補正用画素クロックとして、正規の画素クロックに対してパルス幅が長い画素クロック、を生成するものであること特徴とする画像形成装置。
【請求項１５】
請求項９に記載の画像形成装置において、
前記主走査方向の位置ずれ誤差検出手段は、
前記被転写媒体に対向して配置した光検知器と、
予め作成された主走査方向の位置ずれ誤差測定用パターン画像を検知した前記光検知器からの検知情報により主走査方向の位置ずれ（色ずれ）誤差を算出する主走査方向の位置ずれ補正量算出手段を具備していることを特徴とする画像形成装置。
【請求項１６】
請求項１５に記載の画像形成装置において、
前記主走査方向の位置ずれ誤差補正手段は、前記主走査方向の位置ずれ補正量算出手段からの主走査方向の位置ずれ情報を受けて、前記潜像を書くための画素クロックの１主走査ライン毎の書き出し開始位置を変更して主走査画像領域信号（ＬＧＡＴＥ）を出力する画像領域信号発生回路の一部であることを特徴とする画像形成装置。
【請求項１７】
請求項９に記載された画像形成装置において、
前記副走査方向の位置ずれ誤差検出手段は、前記被転写媒体に対向して配置した光検知器と、予め作成された副走査位置ずれ誤差測定用パターン画像を検知した前記光検知器からの検知情報により副走査方向の位置ずれ（色ずれ）誤差を算出する副走査方向の位置ずれ補正量算出手段を具備することを特徴とする画像形成装置。
【請求項１８】
請求項１５乃至１７の何れかに記載の画像形成装置において、
前記光検知器は、反射型の光検知器であることを特徴とする画像形成装置。
【請求項１９】
請求項１７又は１８に記載の画像形成装置において、
前記副走査方向の位置ずれ誤差補正手段は、
前記副走査方向の位置ずれ補正量算出手段からの副走査方向の位置ずれ情報を受けて、前記潜像を書くための画素クロックの１ページ毎の書き出し開始位置を変更して副走査画像領域信号（ＦＧＡＴＥ）を出力する画像領域信号発生回路の一部であることを特徴とする画像形成装置。
【請求項２０】
請求項１６乃至１９の何れかに記載の画像形成装置において、
前記画像領域信号発生回路は、主走査画像領域画像信号（ＬＧＡＴＥ）、副走査画像領
域信号（ＦＧＡＴＥ）、主走査方向、副走査方向の位置ずれ誤差測定用パターン画像を画
くためのパターン画像領域信号（ＰＧＡＴＥ）を出力することを特徴とする画像形成装置
。
【請求項２１】
請求項２０に記載の画像形成装置において、
前記画像領域信号発生回路は、前記パターン画像領域信号（ＰＧＡＴＥ）を、直前の副
走査画像領域信号（ＦＧＡＴＥ）の副走査位置と同期して生成開始することを特徴とする
画像形成装置。
【請求項２２】
請求項９乃至２１の何れかに記載の画像形成装置において、
前記位置ずれ誤差測定用パターン画像の書き込みと、主走査方向の倍率誤差検出手段による主走査方向の倍率誤差検出が同時に生じたときは、前記位置ずれ誤差測定用パターン画像の書き込みの書き込みを優先することを特徴とする画像形成装置。
【請求項２３】
請求項９乃至請求項２１に記載の画像形成装置において、
前記第１組、前記第２組、前記第３組の各組の制御の優先順位に関し、前記第2組及び前記第3組の制御よりも、前記第1組の制御を優先させることを特徴とする画像形成装置。
【請求項２４】
請求項９乃至２１に記載の画像形成装置において、
前記第２組の手段である、主走査方向の位置ずれ誤差検出手段による主走査方向の位置ずれ誤差検出、及び主走査方向の位置ずれ誤差補正手段による主走査方向の位置ずれ誤差補正と、前記第３組の手段である、副走査方向の位置ずれ誤差検出手段による副走査方向の位置ずれ誤差検出及び副走査方向の位置ずれ誤差補正手段による副走査方向の位置ずれ誤差補正とは、独立して行なうことを特徴とする画像形成装置。
【請求項２５】
請求項９乃至２１の何れかに記載の画像形成装置において、
第３組の手段である、副走査方向の位置ずれ誤差検出手段による副走査方向の位置ずれ誤差検出及び副走査方向の位置ずれ誤差補正手段による副走査方向の位置ずれ誤差補正を行なった後、第２組の手段である、主走査方向の位置ずれ誤差検出手段による主走査方向の位置ずれ誤差検出、及び主走査方向の位置ずれ誤差補正手段による主走査方向の位置ずれ誤差補正を行なうことを特徴とする画像形成装置。
【請求項２６】
請求項９乃至２１の何れかに記載の画像形成装置において、
前記副走査方向の位置ずれ誤差測定用パターン画像の書き込みと、前記主走査方向の倍率誤差検出手段による主走査方向の倍率誤差検出が同時に生じたときは、
同時に処理することを特徴とする画像形成装置。
【請求項２７】
複数の像担持体にそれぞれ潜像を形成した後、これらの各潜像を顕像化し、被転写媒体上に前記顕像化された像を順次重ね合わせて重ね合わせ画像を形成する画像形成装置に用いられ、先行ページの画像処理と後行ページの画像処理の間（以下、紙間という。）に、異なる複数種の誤差補正を行う補正制御装置において、
前記紙間で行なう誤差補正の対象とすべき誤差の種類を、主走査方向の倍率誤差、主走査方向の位置ずれ誤差、副走査方向の位置ずれ誤差の３種に特定し、
前記主走査方向の倍率誤差を補正するための第１組の手段として、主走査方向の倍率誤差検出手段及び主走査方向の倍率誤差補正手段、
前記主走査方向の位置ずれ誤差を補正するための第２組の手段として、主走査方向の位置ずれ誤差検出手段及び主走査方向の位置ずれ誤差補正手段、
前記副走査方向の位置ずれ誤差を補正するための第３組の手段として、副走査方向の位置ずれ誤差検出手段及び副走査方向の位置ずれ誤差補正手段、
の３つの組をつくり、これらの３つの組の中、少なくとも２つの組を具備すると共に、
これら少なくとも２つの組の手段を前記紙間のタイミングで駆動させて書き込み誤差を補正する処理選択部を備えたことを特徴とする補正制御装置。
【請求項２８】
請求項２７に記載の補正制御装置において、
前記主走査方向の倍率誤差補正手段は、
画素に対応したパルス列からなり前記潜像を書くための画素クロックを該画素クロックの周波数よりも高い周波数の元クロックを分周して作り出す分周器と、
前記画素クロックの任意のパルスを、正規のパルス幅と異なるパルス幅の複数の補正パルスを前記ずれ量に応じてつくるパルス列生成回路と、を具備し、
２点間に配置した光検知器から得た補正データに基づき、画素クロックのパルス幅と異なるパルス幅の補正用パルスで画素クロックの位相を置き換えて倍率誤差補正を行うことを特徴とする補正制御装置。
【請求項２９】
複数の像担持体にそれぞれ潜像を形成した後、これらの各潜像を顕像化し、被転写媒体上に前記顕像化された像を順次重ね合わせて重ね合わせ画像を形成する画像形成方法において、
先行ページの画像処理と後行ページの画像処理の間（以下、紙間という。）に、異なる複数種の書き込み補正を行うこととし、前記異なる複数種類の補正は、主走査方向の倍率誤差補正、主走査方向の位置ずれ誤差補正、副走査方向の位置ずれ誤差補正、トナー濃度補正のうち、少なくとも２つを含むことを特徴とする画像形成方法。
【請求項３０】
請求項２９記載の画像形成方法において、
トナー濃度補正用のパターン書き込みと主走査方向の倍率補正の測定が同時に起こった
場合、同時に処理することを特徴とする画像形成方法。
【請求項３１】
請求項２９記載の画像形成方法において、
前記トナー濃度補正用のパターンがベタ（全画素均一データ）以外の場合の書込みシーケンスと主走査方向の倍率誤差補正の測定が同時に起こった場合、同時処理をやめることを特徴とする画像形成方法。
【請求項３２】
請求項２９記載の画像形成方法において、
前記トナー濃度補正用のパターンの読み取りと主走査方向の倍率誤差補正の測定が同時
に起こった場合、トナー濃度補正の制御を優先することを特徴とする画像形成方法。
【請求項３３】
請求項２９記載の画像形成方法において、
前記トナー濃度測定用のパターンは前の副走査画像領域信号（FGATE）の終了と同期し
て生成開始することを特徴とする画像形成方法。
【請求項３４】
請求項２９記載の画像形成方法において、
前記位置ずれ誤差補正用のパターン検知のための光検知器と、前記トナー濃度補正用の
パターン検知のための光検知器は、同一タイプの拡散光検出用光検知器を用いることを特
徴とする画像形成方法。
【請求項３５】
請求項２９記載の画像形成装置において、
前記位置ずれ誤差補正用のパターンと前記トナー濃度補正用のパターンの位置関係を重
ならない配置とし、前記位置ずれ誤差補正用のパターンの書き込みと前記トナー濃度補正
用のパターンの書き込みが同時に起こった場合、同時にパターン書き込みができることを
特徴とする画像形成方法。
【手続補正２】
【補正対象書類名】明細書
【補正対象項目名】００１１
【補正方法】変更
【補正の内容】
【００１１】
本発明は、前記目的を達成するため、以下の構成とした。  
（１）．  請求項１記載の画像形成方法では、複数の像担持体例えば、感光体２Ｙ、２Ｍ、２Ｃ、２Ｋにそれぞれ潜像を形成した後、これらの各潜像を顕像化し、被転写媒体たる転写ベルト９上に前記顕像化された像を順次重ね合わせて重ね合わせ画像を形成する画像形成方法において、先行ページの画像処理と後行ページの画像処理の間（以下、紙間という。）に、異なる複数種の書き込み誤差補正を行うこととした。
ここで、異なる複数種類の誤差補正は、主走査方向の倍率誤差補正、主走査方向の位置ずれ誤差補正、副走査方向の位置ずれ誤差補正の３つの書き込み誤差補正の少なくとも２つを含む（請求項２）。請求項２記載の画像形成方法において、前記主走査方向の倍率誤差補正は、走査光による主走査方向の走査時間を基準値と比較して得た値を基にして、前記走査光で画像を書かせるための画素クロックの位相を進め、又は遅らせることにより行なうこととした。（請求項３）。
請求項２又は３に記載の画像形成方法において、前記主走査方向の位置ずれ誤差補正は、被転写媒体たる例えば、転写ベルト９上に主走査方向の位置ずれ誤差測定用のパターン画像をつくり、この位置ずれ誤差測定用パターン画像を光検知器で読むことで得た位置ずれデータに基づき、主走査画像領域信号の書き込み開始位置を基準の発生タイミングに対して進ませ、又は遅らせることにより行なうこととした（請求項４）。
請求項２乃至４の何れかに記載の画像形成方法において、前記副走査方向の位置ずれ誤差補正は、前記被転写媒体たる例えば、転写ベルト９上に位置ずれ誤差測定用パターン画像を書き、この位置ずれ誤差測定用パターン画像を光検知器で読むことで得た位置ずれデータに基づき、副走査画像領域信号の発生タイミングを基準の書き込み開始位置に対して進ませ、又は遅らせることにより行なう（請求項５）。請求項５に記載の画像形成方法において、前記位置ずれ誤差測定用パターン画像は、１ページ相当の副走査画像領域信号の終了後の一定時間毎に、前記紙間のタイミングで形成することとした（請求項６）。
請求項１乃至６の何れかに記載の画像形成方法において、異なる複数種類の書き込み誤差補正は、同一の紙間のタイミングで行なわず、異なる紙間のタイミングで分散して行なうことで規定の紙間時間を変更することなく補正処理可能にした（請求項７）。
（２）．  請求項８記載の発明では、複数の像担持体にそれぞれ潜像を形成した後、これらの各潜像を顕像化し、被転写媒体上に前記顕像化された像を順次重ね合わせて重ね合わせ画像を形成し、先行ページの画像処理と後行ページの画像処理の間（以下、紙間という。）に、異なる複数種の誤差補正を行うこととした。
請求項９記載の画像形成装置において、前記紙間で行なう誤差補正の対象とすべき誤差の種類を、主走査方向の倍率誤差、主走査方向の位置ずれ誤差、副走査方向の位置ずれ誤差の３種に特定し、前記主走査方向の倍率誤差を補正するための第１組の手段として、主走査方向の倍率誤差検出手段及び主走査方向の倍率誤差補正手段、前記主走査方向の位置ずれ誤差を補正するための第２組の手段として、主走査方向の位置ずれ誤差検出手段及び主走査方向の位置ずれ誤差補正手段、前記副走査方向の位置ずれ誤差を補正するための第３組の手段として、副走査方向の位置ずれ誤差検出手段及び副走査方向の位置ずれ誤差補正手段、の３つの組をつくり、これらの３つの組の中、少なくとも２つの組を具備すると共に、これら少なくとも２つの組の手段を前記紙間のタイミングで駆動させて書き込み誤差を補正する処理選択部を備えた。
請求項９記載の画像形成装置において、前記主走査方向の倍率誤差検出手段は、前記走査光の走査方向上に間隔をおいて配置した２つの光検知器と、これらの光検知器からの走査光検知情報により主走査方向の倍率誤差を算出する主走査方向の倍率誤差補正量算出手段を具備することとした（請求項１０）。請求項１０記載の画像形成装置において、前記走査方向に配置した２つの光検知器として、受光型の光検知器を用いた（請求項１１）。
請求項９乃至１１の何れかに記載の画像形成装置において、前記主走査方向の倍率誤差補正手段は、画素に対応したパルス列であって主走査方向に潜像を書くための画素クロックの周波数を前記主走査方向の倍率誤差検出手段からのずれ情報に基づき変更するＰＬＬ回路を含む構成とし、画素クロックの位相を進ませ、或いは遅らせることで、主走査方向の倍率補正を可能にした（請求項１２）。
請求項９乃至１１の何れかに記載の画像形成装置において、上記のようにＰＬＬ回路を含まない主走査方向の倍率補正手段として、元クロックから画素クロックをつくる分周器と、前記主走査方向の倍率誤差検出手段の出力に基づき、正規の画素クロックに対して画素クロックの位相変更をかけるパルスを生成するパルス列生成回路と、前記パルス列生成回路の出力から適切な補正用の画素クロックを選択するセレクタとを具備した構成とした（請求項１３）。ここで、上記パルスは位相変更をかける位置および位相方向を確定する変更指示信号である。
請求項１３に記載の画像形成装置において、前記主走査方向の倍率誤差補正手段について、前記パルス列生成回路で生成される補正用のパルスは、画像が伸びる傾向のときの補正用画素クロックとして、正規の画素クロックに対してパルス幅が短い画素クロック、画像が縮まる傾向のときの補正用画素クロックとして、正規の画素クロックに対してパルス幅が長い画素クロック、を生成するものとして構成できる（請求項１４）。
請求項９記載の画像形成装置において、主走査方向の位置ずれ誤差検出手段は、前記被転写媒体に対向して配置した光検知器と、予め作成された主走査方向の位置ずれ誤差測定用パターン画像を検知した前記光検知器からの検知情報により主走査方向の位置ずれ（色ずれ）誤差を算出する主走査方向の位置ずれ補正量算出手段を備えることとした（請求項１５）。
請求項１５に記載の画像形成装置において、前記主走査方向の位置ずれ誤差補正手段は、前記主走査方向の位置ずれ補正量算出手段からの主走査方向の位置ずれ情報を受けて、前記潜像を書くための画素クロックの１主走査ライン毎の書き出し開始位置を変更して主走査画像領域信号（ＬＧＡＴＥ）を出力する画像領域信号発生回路の一部である（請求項１６）。
請求項９記載の画像形成装置において、前記副走査方向の位置ずれ誤差検出手段は、前記被転写媒体たる例えば、転写ベルト９に対向して配置した光検知器と、予め作成された副走査位置ずれ誤差測定用パターン画像を検知した前記光検知器からの検知情報により副走査方向の位置ずれ（色ずれ）誤差を算出する副走査方向の位置ずれ補正量算出手段を具備することとした（請求項１７）。
請求項１５乃至１７の何れかに記載の画像形成装置において、前記光検知器は、反射型の光検知器を用いた（請求項１８）。請求項１７又は１８に記載の画像形成装置において、前記副走査方向の位置ずれ誤差補正手段は、前記副走査方向の位置ずれ補正量算出手段からの副走査方向の位置ずれ情報を受けて、前記潜像を書くための画素クロックの１ページ毎の書き出し開始位置を変更して副走査画像領域信号（ＦＧＡＴＥ）を出力する画像領域信号発生回路の一部とした（請求項１９）。
請求項１６乃至１９の何れかに記載の画像形成装置において、前記画像領域信号発生回路は、主走査画像領域画像信号（ＬＧＡＴＥ）、副走査画像領域信号（ＦＧＡＴＥ）、主走査方向、副走査方向の位置ずれ誤差測定用パターン画像を画くためのパターン画像領域信号（ＰＧＡＴＥ）を出力することとした（請求項２０）。
請求項２０の画像形成装置において、前記画像領域信号発生回路は、前記パターン画像領域信号（ＰＧＡＴＥ）を、直前の副走査画像領域信号（ＦＧＡＴＥ）の副走査位置と同期して生成開始することとした（請求項２１）。
請求項９乃至２１の何れかに記載の画像形成装置において、前記位置ずれ誤差測定用パターン画像の書き込みと、主走査方向の倍率誤差検出手段による主走査方向の倍率誤差検出が同時に生じたときは、主走査方向の位置ずれ補正の最中に、突然倍率が変わるなどの変動要素を無くすため、前記位置ずれ誤差測定用パターン画像の書き込みの書き込みを優先することとした（請求項２２）。
請求項９乃至２１の何れかに記載の画像形成装置において、前記第１組、前記第2組、前記第３組の各組の制御の優先順位に関し、前記第2組及び前記第3組の制御よりも、前第1組の制御を優先させることとした（請求項２３）。
請求項９乃至２１の何れかに記載の画像形成装置において、前記第２組の手段である、主走査方向の位置ずれ誤差検出手段による主走査方向の位置ずれ誤差検出、及び主走査方向の位置ずれ誤差補正手段による主走査方向の位置ずれ誤差補正と、前記第３組の手段である、副走査方向の位置ずれ誤差検出手段による副走査方向の位置ずれ誤差検出及び副走査方向の位置ずれ誤差補正手段による副走査方向の位置ずれ誤差補正とは、独立して行なうこととした（請求項２４）。
請求項９乃至２１の何れかに記載の画像形成装置において、第３組の手段である、副走査方向の位置ずれ誤差検出手段による副走査方向の位置ずれ誤差検出及び副走査方向の位置ずれ誤差補正手段による副走査方向の位置ずれ誤差補正を行なった後、第２組の手段である、主走査方向の位置ずれ誤差検出手段による主走査方向の位置ずれ誤差検出、及び主走査方向の位置ずれ誤差補正手段による主走査方向の位置ずれ誤差補正を行なう（請求項２５）。
請求項９乃至２１の何れかに記載の画像形成装置において、前記副走査方向の位置ずれ誤差測定用パターン画像の書き込みと、前記主走査方向の倍率誤差検出手段による主走査方向の倍率誤差検出が同時に生じたときは、同時に処理することとし、紙間を有効に使うこととした（請求項２６）。
（３）．  請求項２７記載の発明では、複数の像担持体にそれぞれ潜像を形成した後、これらの各潜像を顕像化し、被転写媒体上に前記顕像化された像を順次重ね合わせて重ね合わせ画像を形成する画像形成装置に用いられ、先行ページの画像処理と後行ページの画像処理の間（以下、紙間という。）に、異なる複数種の誤差補正を行う補正制御装置において、前記紙間で行なう誤差補正の対象とすべき誤差の種類を、主走査方向の倍率誤差、主走査方向の位置ずれ誤差、副走査方向の位置ずれ誤差の３種に特定し、前記主走査方向の倍率誤差を補正するための第１組の手段として、主走査方向の倍率誤差検出手段及び主走査方向の倍率誤差補正手段、前記主走査方向の位置ずれ誤差を補正するための第２組の手段として、主走査方向の位置ずれ誤差検出手段及び主走査方向の位置ずれ誤差補正手段、前記副走査方向の位置ずれ誤差を補正するための第３組の手段として、副走査方向の位置ずれ誤差検出手段及び副走査方向の位置ずれ誤差補正手段、の３つの組をつくり、これらの３つの組の中、少なくとも２つの組を具備すると共に、これら少なくとも２つの組の手段を前記紙間のタイミングで駆動させて書き込み誤差を補正する処理選択部を備えた（請求項２７）。
請求項２７に記載の補正制御装置において、前記主走査方向の倍率誤差補正手段は、画素に対応したパルス列からなり前記潜像を書くための画素クロックを該画素クロックの周波数よりも高い周波数の元クロックを分周して作り出す分周器と、前記画素クロックの任意のパルスを、正規のパルス幅と異なるパルス幅の複数の補正パルスを前記ずれ量に応じてつくるパルス列生成回路と、を具備し、２点間に配置した光検知器から得た補正データに基づき、画素クロックのパルス幅と異なるパルス幅の補正用パルスで画素クロックの位相を置き換えて倍率誤差補正を行うこととした（請求項２８）。
（４）．  請求項２９記載の発明では、複数の像担持体にそれぞれ潜像を形成した後、これらの各潜像を顕像化し、被転写媒体上に前記顕像化された像を順次重ね合わせて重ね合わせ画像を形成する画像形成方法において、先行ページの画像処理と後行ページの画像処理の間（以下、紙間という。）に、異なる複数種の書き込み補正を行うこととし、前記異なる複数種類の補正は、主走査方向の倍率誤差補正、主走査方向の位置ずれ誤差補正、副走査方向の位置ずれ誤差補正、トナー濃度補正のうち、少なくとも２つの補正を含むこととした。
請求項２９記載の発明において、トナー濃度補正用のパターン書き込みと主走査方向の倍率補正の測定が同時に起こった場合、同時に処理することとした（請求項３０）。請求項２９記載の発明において、前記トナー濃度補正用のパターンがベタ（全画素均一データ）以外の場合の書込みシーケンスと主走査方向の倍率誤差補正の測定が同時に起こった場合、同時処理をやめることとした（請求項３１）。請求項２９記載の発明において、前記トナー濃度補正用のパターンの読み取りと主走査方向の倍率誤差補正の測定が同時に起こった場合、トナー濃度補正の制御を優先することとした（請求項３２）。
請求項２９記載の画像形成方法において、前記トナー濃度測定用のパターンは前の副走査画像領域信号（FGATE）の終了と同期して生成開始することとした（請求項３３）。請求項２９記載の画像形成方法において、前記位置ずれ誤差補正用のパターン検知のためのセンサと、前記トナー濃度補正用のパターン検知のためのセンサは、同一タイプの拡散光検出用センサを用いることとした（請求項３４）。請求項２９記載の画像形成装置において、前記位置ずれ誤差補正用のパターンと前記トナー濃度補正用のパターンの位置関係を重ならない配置とし、前記位置ずれ誤差補正用のパターンの書き込みと前記トナー濃度補正用のパターンの書き込みが同時に起こった場合、同時にパターン書き込みできるようにした（請求項３５）。
【手続補正３】
【補正対象書類名】明細書
【補正対象項目名】００４０
【補正方法】変更
【補正の内容】
【００４０】
さらに、前記副走査方向の位置ずれ誤差を補正するための第３組の手段を、図２において、副走査方向の位置ずれ誤差検出手段（光検知器２４、２５、２６及び副走査方向の位置ずれ補正量算出手段５０）と副走査方向の位置ずれ誤差補正手段５１とした。その上で、これらの３つの組の中、少なくとも２つの組の手段を紙間のタイミングで駆動させて書き込み誤差を補正する手段として処理選択部６０を設けた（請求項９）。
【手続補正４】
【補正対象書類名】明細書
【補正対象項目名】００４１
【補正方法】変更
【補正の内容】
【００４１】
複数の像担持体にそれぞれ潜像を形成した後、これらの各潜像を顕像化し、被転写媒体上に前記顕像化された像を順次重ね合わせて重ね合わせ画像を形成する画像形成装置に用いられ、先行ページの画像処理と後行ページの画像処理の間（紙間）に、異なる複数種の誤差補正を行う補正制御装置においてこれらの３つの組の手段及び処理選択部６０を設けて、画像に現れる主走査方向、副走査方向の位置ずれ、或いは主走査方向の倍率誤差を迅速適正に処理できる補正制御装置を構成することができ、画像に現れる主走査方向、副走査方向の位置ずれ、或いは主走査方向の倍率誤差を迅速適正に処理できる（請求項２７）。
【手続補正５】
【補正対象書類名】明細書
【補正対象項目名】００５１
【補正方法】変更
【補正の内容】
【００５１】
これら光検知器２４、２５、２６は、反射型の光検知器である（請求項１８）。反射型とすることで、転写ベルト９上に形成された誤差測定用パターン画像をよむことができる。また、主副走査方向の位置ずれを検出し、位置ずれの傾向、補正量及び紙間で分割して行なう補正回数などを自動演算するための情報を提供する。
【手続補正６】
【補正対象書類名】明細書
【補正対象項目名】００５８
【補正方法】変更
【補正の内容】
【００５８】
（３．１）主走査方向の倍率誤差検出手段
図２において、主走査方向の倍率誤差を検出する主走査方向の倍率誤差検出手段は、走査光２Ｋの走査方向上、感光体３Ｋの回転軸方向（主走査方向）であって、感光体３Ｋの画像領域を間にしてその外側に間隔をおいて配置された２つの光検知器２１Ｋ、２２Ｋと、これらの光検知器２１Ｋ、２２Ｋからの検知出力を入力して主走査方向の倍率誤差を算出する主走査方向の倍率誤差補正量算出手段３０を主な構成としている（請求項１０）。
【手続補正７】
【補正対象書類名】明細書
【補正対象項目名】００６１
【補正方法】変更
【補正の内容】
【００６１】
２つの光検知器２１Ｋ、２２Ｋとしては、走査光を受光して検知できれば足り、受光型の光検知器を用いることで走査光の通過を簡単に検知することができ、主走査方向の倍率誤差を算出するデータを得ることができる（請求項１１）。
【手続補正８】
【補正対象書類名】明細書
【補正対象項目名】００６３
【補正方法】変更
【補正の内容】
【００６３】
ここで、主走査方向の倍率誤差補正手段３１として２つの例をあげる。ケース１はＰＬＬ（phase locked loop）回路を含む構成であり、ケース２はパルス生成回路を含む構成である。  
（ケース１：ＰＬＬ回路を含む構成）
図２に示した本例の主走査方向の倍率誤差補正手段３１は、図７に示すように画素に対応したパルス列であって主走査方向に潜像を書くための正規の画素クロック（clkw）の周波数を前記ずれ情報（補正後の新しい値の倍率誤差補正量情報９０）に基づき変更するＰＬＬ回路を含む構成であり、これを用いて主走査方向の倍率誤差に応じて画素クロックの位相を進ませ或いは遅らせた画素クロックに補正することができ、主走査方向の倍率誤差を補正できる（請求項１２）。
【手続補正９】
【補正対象書類名】明細書
【補正対象項目名】００６８
【補正方法】変更
【補正の内容】
【００６８】
図１０、図１１において、（ケース２）の主走査方向の倍率誤差補正手段３１は、元のクロック（clko）から補正後の書き込み信号９１（画素クロックＣＬＫＷ）をつくる分周器３１００と、主走査方向の倍率誤差補正量算出手段30（図２参照）から出力された主走査方向の倍率誤差（倍率誤差補正量情報９０）に基づき、正規の画素クロック（clkw）に対して画素クロックの位相変更をかける位置および位相方向を確定する変更指示信号（パルス）（以下、xplsという。）を生成するパルス生成回路３２００と、パルス生成回路３２００の出力から適切な補正用の画素クロックを選択するセレクタ３３００等を備える。この例では、元のクロック（clko）を分周器３４００で分周して正規の画素クロック（clkw）を得て、これをパルス生成回路３２００に入力するようにしている（請求項１３、請求項２８）。これによれば、位相変換後の周波数に安定するまで時間を要するＰＬＬ回路を用いておらず、即時に所要の位相をもつ画素クロックを安定して得ることができる。
【手続補正１０】
【補正対象書類名】明細書
【補正対象項目名】００７８
【補正方法】変更
【補正の内容】
【００７８】
画像が縮まる傾向のとき（書き込み画像の倍率が下がっているとき）の補正用画像クロックとして、上記第２の組合せでは外部コマンド入力xpls２だけが選択されて、分周器３１００からは図１１に示す画素クロック（clkw10）が出力され倍率を上げる（請求項１４）。
【手続補正１１】
【補正対象書類名】明細書
【補正対象項目名】００９５
【補正方法】変更
【補正の内容】
【００９５】
図４に示したように、転写ベルト９に対向させて主走査方向に並べた各光検知器２４、２５、２６を通過するようにして、それぞれ、図１５（ａ）に示した画像パターンを形成し、光検知器２４，２５，２６でこれら予め作成された主走査方向の位置ずれ誤差測定用パターン画像８１Ｙ、８１Ｍ、８１Ｃ、８１Ｋ、８２Ｙ、８２Ｍ、８２Ｃ、８２Ｋが検知され、かかる光検知器２４、２５、２６からの検知情報により、主走査方向の位置ずれ補正量算出手段４０は主走査方向の位置ずれ（色ずれ）誤差を算出する（請求項１５）。
【手続補正１２】
【補正対象書類名】明細書
【補正対象項目名】０１０７
【補正方法】変更
【補正の内容】
【０１０７】
図１６に示したように、転写ベルト９に対向させて主走査方向に並べた各光検知器２４、２５、２６を通過するようにして、それぞれ、図１６（ａ）に示した画像パターンを形成し、光検知器２４，２５，２６でこれら予め作成された副走査方向の位置ずれ誤差測定用パターン画像８３Ｙ、８３Ｍ、８３Ｃ、８４Ｋ、８４Ｙ、８４Ｍ、８４Ｃ、８４Ｋが検知され、かかる光検知器２４、２５、２６からの検知情報により、副走査方向の位置ずれ補正量算出手段５０は副走査方向の位置ずれ情報（パターン画像のずれであるｐｙ＋Δ、ｐｙ−Δなど）を算出する（請求項１７）。
【手続補正１３】
【補正対象書類名】明細書
【補正対象項目名】０１１０
【補正方法】変更
【補正の内容】
【０１１０】
副走査方向の位置ずれ誤差補正手段５１は画像領域信号発生回路６５の一部であり、副走査方向の位置ずれ情報（パターン画像のずれであるｐｙ＋Δ、ｐｙ−Δなど）を受けて、図１７に示すように、潜像を書く際に画素クロックの１ページ毎の書き出し開始位置を変更して副走査画像領域信号（ＦＧＡＴＥ）を出力する（請求項１９）。
【手続補正１４】
【補正対象書類名】明細書
【補正対象項目名】０１１２
【補正方法】変更
【補正の内容】
【０１１２】
これまでの説明から、画像領域信号発生回路６５は、主走査画像領域画像信号（ＬＧＡＴＥ）、副走査画像領域信号（ＦＧＡＴＥ）を出力する。図１５、図１６などで説明した主走査方向、副走査方向の位置ずれ誤差測定用パターン画像８０を画くためのパターン画像領域信号（ＰＧＡＴＥ）を出力する（請求項２０）。こうして、画像領域信号発生回路６５は、主副方向の位置ずれ、パターン領域信号など、位置ずれの補正要素の全部に関る補正信号を出力することができる。
[例６]
【手続補正１５】
【補正対象書類名】明細書
【補正対象項目名】０１２５
【補正方法】変更
【補正の内容】
【０１２５】
各組の補正手段の関係について述べる。  
（７−１）
図２、図１７において、画像領域信号発生回路６５は、パターン画像領域信号（ＰＧＡＴＥ）を、直前の副走査画像領域信号（ＦＧＡＴＥ）の副走査位置と同期して（同じずれ量となるように一定の時間をおいて）生成開始する。つまり、副走査画像領域信号（ＦＧＡＴＥ）の終端から一定の時間をおいてパターン画像を書き始める（請求項２１）。
【手続補正１６】
【補正対象書類名】明細書
【補正対象項目名】０１２８
【補正方法】変更
【補正の内容】
【０１２８】
（７−２）
位置ずれ誤差測定用パターン画像の書き込みと、主走査方向の倍率誤差検出が同時に生じたときは、位置ずれ誤差測定用パターン画像の書き込みの書き込みを優先する（請求項２２）。
【手続補正１７】
【補正対象書類名】明細書
【補正対象項目名】０１３０
【補正方法】変更
【補正の内容】
【０１３０】
（７−３）
前記第１組、前記第2組、前記第３組の各組の制御の優先順位に関し、前記第2組及び前記第3組の制御よりも、前記第1組の制御を優先させる（請求項２３）。ここで、第１組の手段は、主走査方向の倍率誤差検出手段と主走査方向の倍率誤差補正手段３１である。第２組の手段は、主走査方向の位置ずれ誤差検出手段と主走査方向の位置ずれ誤差補正手段４１である。第３組の手段は、副走査方向の位置ずれ誤差検出手段と副走査方向の位置ずれ誤差補正手段５１である。
【手続補正１８】
【補正対象書類名】明細書
【補正対象項目名】０１３２
【補正方法】変更
【補正の内容】
【０１３２】
（７−４）
第２組の手段である、主走査方向の位置ずれ誤差検出手段による主走査方向の位置ずれ誤差検出、及び主走査方向の位置ずれ誤差補正手段４１による主走査方向の位置ずれ誤差補正と、第３組の手段である、副走査方向の位置ずれ誤差検出手段による副走査方向の位置ずれ誤差検出及び副走査方向の位置ずれ誤差補正手段５１による副走査方向の位置ずれ誤差補正とは、独立して行なうこととした（請求項２４）。
【手続補正１９】
【補正対象書類名】明細書
【補正対象項目名】０１３５
【補正方法】変更
【補正の内容】
【０１３５】
（７−５）
第３組の手段である、副走査方向の位置ずれ誤差検出手段による副走査方向の位置ずれ誤差検出及び副走査方向の位置ずれ誤差補正手段５１による副走査方向の位置ずれ誤差補正を行なった後、第２組の手段である、主走査方向の位置ずれ誤差検出手段による主走査方向の位置ずれ誤差検出、及び主走査方向の位置ずれ誤差補正手段５１による主走査方向の位置ずれ誤差補正を行なうこととした（請求項２５）。
【手続補正２０】
【補正対象書類名】明細書
【補正対象項目名】０１３７
【補正方法】変更
【補正の内容】
【０１３７】
（７−６）
副走査方向の位置ずれ誤差測定用パターン画像（図１６、図２１）の書き込みと、主走
査方向の倍率誤差検出手段による主走査方向の倍率誤差検出（図２０）が同時に生じたと
きは、同時に処理することとした（請求項２６）。